(57)【要約】【課題】増し打壁が厚くなったり、割裂防止筋の配筋作業が必要になる。【解決手段】柱Ｙ、Ｙａ及び梁Ｘ、Ｘａに複数本のアンカー１、1a…を打ち込み、次に該アンカー１、1a…を打ち込んだ柱Ｙ、Ｙａ及び梁Ｘ、Ｘａに平行に配置した各補強枠２、2a、３、3aをアンカー１、1a…で固定し、次に補強枠２、2a、３、3a内で配筋した複数本の縦横鉄筋４、4a…、５、5a…の端部を補強枠２、2a、３、3aに固定し、上記補強枠２、2a、３、3a及び縦横鉄筋４、4a…、５、5a…をモルタル７で埋め込むことで、構築された増し打壁８の外周部を補強枠２、2a、３、3aで補強することによって、割裂防止筋を配筋せずに、而も増し打壁８を薄くしても、該増し打壁８の外周部への割裂の発生が防止出来る。【選択図】図１
2005330758.tif 000002
【特許請求の範囲】
【請求項１】
補強対象の既設コンクリート壁の外周部に位置する柱及び梁に複数本のアンカーを打ち
込むと共に、アンカーを打ち込んだ柱及び梁に平行に配置した各補強枠をアンカーで固定
する工程と、複数本の連結アンカーを既設コンクリート壁に打ち込む工程と、補強枠内で
配筋した複数本の縦横鉄筋の端部を補強枠に固定する工程と、上記補強枠及び縦横鉄線を
モルタル等で埋め込む工程により構成したことを特徴とする既設コンクリート壁の増し打
壁工法。
【請求項２】
補強対象の既設コンクリート壁の外周部に位置する柱及び梁に打ち込まれた複数本のア
ンカーと、該アンカーが打ち込まれた柱及び梁に平行に配置してアンカーで固定された補
強枠と、既設コンクリート壁に打ち込まれた、突端部がモルタル等に埋設された複数本の
連結アンカーと、補強枠内で配筋すると共に端部を補強枠に固定された複数本の縦横鉄筋
と、上記補強枠及び縦横鉄線を埋設したモルタル等とにより構成したことを特徴とする既
設コンクリート壁の増し打壁構造。
【請求項３】
補強枠における既設コンクリート壁と柱及び梁側の側面を凹凸状にしたことを特徴とす
る請求項２記載の既設コンクリート壁の増し打壁構造。
【発明の詳細な説明】
【技術分野】
【０００１】
本発明は、鉄筋コンクリート造、鉄骨鉄筋コンクリート造の既存建物の壁を厚くする既
設コンクリート壁の増し打壁工法及び増し打壁構造に関する。
【背景技術】
【０００２】
従来、かかる増し打壁工法にあっては、図７に示す様に、既存の鉄筋コンクリート造、
鉄骨鉄筋コンクリート造の建物の壁ｗ１を囲む柱及び梁等の主構造体ｘ、ｘ’にアンカー
ａを打ち込み、該アンカーａに鉄筋ｓの両端部を溶接等により固定する様にして配筋した
後、型枠を組んでモルタルを打設したり、そのままの状態でモルタルを吹き付けたり、塗
り込み、養生、硬化させて、増し打壁ｗ２を構築して、厚さを増加させる様にしたもので
あった。
【０００３】
研究開発段階や出願段階で先行技術調査を行っておらず、記載すべき先行技術文献を知
りません。
【発明の開示】
【発明が解決しようとする課題】
【０００４】
しかし、上記工法にあっては、増し打壁ｗ２の外周部が主構造体ｘ、ｘ’に直接当たっ
ているが、当該部位に応力が集中することから、増し打壁ｗ２が薄いと増し打壁ｗ２の外
周部に割裂が発生し易いため、増し打壁ｗ２を厚く形成せねばならず、而も厚くしたから
といって割裂が全く発生しなくなることは必ずしもないため、配筋時に増し打壁ｗ２の外
周部に割裂防止筋（図示せず）を配筋せねばならず、作業が面倒であった。
【課題を解決するための手段】
【０００５】
本発明は、上記従来技術に基づく、増し打壁が厚くなったり、割裂防止筋の配筋作業が
必要になるなどの課題に鑑み、補強対象の既設コンクリート壁の外周部に位置する柱及び
梁に複数本のアンカーを打ち込み、次にアンカーを打ち込んだ柱及び梁に平行に配置した
各補強枠をアンカーで固定し、次に補強枠内で配筋した複数本の縦横鉄筋の端部を補強枠
に固定し、上記補強枠及び縦横鉄線をモルタル等で埋め込む様にすることで、柱及び梁と
の境界部、即ち増し打壁の外周部に補強枠を配置することによって、割裂防止筋を配筋せ
ずに且つ増し打壁を薄くしても、増し打壁の外周部を補強枠で補強して、増し打壁の外周
部に割裂を発生させない様にして、上記課題を解決する。
尚、本発明における『モルタル等』とは、セメント、細骨材及び水を混練した本来の「
モルタル」と、セメント、細骨材、粗骨材及び水を混練した「コンクリート」の総称であ
り、本発明では主に「モルタル」を使用する。
【発明の効果】
【０００６】
要するに本発明は、補強対象の既設コンクリート壁の外周部に位置する柱及び梁に複数
本のアンカーを打ち込み、次にアンカーを打ち込んだ柱及び梁に平行に配置した各補強枠
をアンカーで固定し、次に補強枠内で配筋した複数本の縦横鉄筋の端部を補強枠に固定し
、上記補強枠及び縦横鉄線をモルタル等で埋め込む様にしたので、かかる工法によれば、
既設コンクリート壁に対し一体的な増し打壁を構築することか出来、且つ増し打壁の外周
部は補強枠により補強されているため、薄くても応力集中による外周部での割裂を防止可
能な増し打壁を構築することが出来る。
而も、複数本の連結アンカーを既設コンクリート壁に打ち込む様にしたので、構築され
た増し打壁と既設コンクリート壁との一体性の向上を図ることが出来、且つ縦横鉄筋の交
差部に合致する位置に打ち込めば、縦横鉄筋の配筋時の該縦横鉄筋の位置決めに利用する
ことが出来る。
【０００７】
又、補強対象の既設コンクリート壁の外周部に位置する柱及び梁に打ち込まれた複数本
のアンカーと、該アンカーが打ち込まれた柱及び梁に平行に配置してアンカーで固定され
た補強枠と、補強枠内で配筋すると共に端部を補強枠に固定された複数本の縦横鉄筋と、
上記補強枠及び縦横鉄線を埋設したモルタル等とにより構成したので、かかる増し打壁及
び既設コンクリート壁で構成された補強壁の強度を向上させることが出来、又既設コンク
リート壁又は柱及び梁へのアンカーにより増し打壁の既設コンクリート壁への一体性の向
上を図ることが出来、而も構築された増し打壁は薄厚化しても外周部が補強枠により補強
されているため、増し打壁の外周部への割裂の発生を防止することが出来、且つ薄厚化に
より増し打壁自体の軽量化を図ることか出来るため、躯体側への負担を軽減化することが
出来る。
而も、既設コンクリート壁に、突端部がモルタル等に埋設された複数本の連結アンカー
が打ち込まれているので、構築された増し打壁と既設コンクリート壁が一体化されるため
、増し打壁及び既設コンクリート壁で構成された補強壁の強度を更に向上させることが出
来る。
又、補強枠における既設コンクリート壁と柱及び梁側の側面を凹凸状にしたので、注入
したモルタル等に補強枠を馴染み易くすることが出来るため、増し打壁の躯体側への一体
性を更に向上させることが出来る等その実用的効果甚だ大である。
【発明を実施するための最良の形態】
【０００８】
以下本発明の一実施例を図面に基づいて説明する。
補強対象の既設コンクリート壁Ｗを囲む主構造体、即ち柱Ｙ、Ｙａ及び梁Ｘ、Ｘａ（基
礎梁も含む）の夫々に複数本のアンカー１、1a…を、柱Ｙ、Ｙａ及び梁Ｘ、Ｘａの長手方
向に所定間隔毎に打ち込み、既設コンクリート壁Ｗの外周部に平行に配置した各補強枠２
、2a、３、3aをアンカー１、1a…で固定すると共に、対向する補強枠２、2a、３、3a間に
、所定間隔毎に並列した縦横鉄筋４、4a…、５、5a…の両端部を固定し、該縦横鉄筋４、
4a…、５、5a…を、既設コンクリート壁Ｗに打ち込んだ連結アンカー６、6a…に固定して
いる。  又、補強枠２、2a、３、3aと既設コンクリート壁Ｗ又は柱Ｙ、Ｙａ及び梁Ｘ、Ｘ
ａとの間にモルタル７が注入され、補強枠２、2a、３、3a、縦横鉄筋４、4a…、５、5a…
及び連結アンカー６、6a…をモルタル７で埋設して増し打壁８を形成している。
【０００９】
具体的には、図１、２に示す様に、既設コンクリート壁Ｗと柱Ｙ、Ｙａ及び梁Ｘ、Ｘａ
が面一でない場合、断面Ｌ型状の補強枠２、2a、３、3aを、既設コンクリート壁Ｗと柱Ｙ
、Ｙａ及び梁Ｘ、Ｘａの角部に、既設コンクリート壁Ｗ、柱Ｙ、Ｙａ及び梁Ｘ、Ｘａとの
間に若干隙間をあけて配置し、柱Ｙ、Ｙａ及び梁Ｘ、Ｘａにおける既設コンクリート壁Ｗ
からの立ち上げ面にアンカー１、1a…を打ち込み、補強枠２、2a、３、3aにおける既設コ
ンクリート壁Ｗに対し垂直な部材にアンカー１、1a…を、補強枠２、2a、３、3aにおける
既設コンクリート壁Ｗに対し平行な部材に縦横鉄筋４、4a…、５、5a…を夫々固定してい
る。
【００１０】
図３、４に示す様に、既設コンクリート壁Ｗと柱Ｙ、Ｙａ及び梁Ｘ、Ｘａが面一の場合
、平板状の補強枠２、2a、３、3aを、柱Ｙ、Ｙａ及び梁Ｘ、Ｘａとの間に若干隙間をあけ
て配置し、柱Ｙ、Ｙａ及び梁Ｘ、Ｘａに打ち込んだアンカー１、1a…を補強枠２、2a、３
、3aに、縦横鉄筋４、4a…、５、5a…を補強枠２、2aに夫々固定する様にしている。
而も、隣の既設コンクリート壁Ｗａも補強する場合には、平板状の補強枠２、2a、３、
3aを、柱Ｙ、Ｙａ及び梁Ｘ、Ｘａの中央に配置し、柱Ｙ、Ｙａ及び梁Ｘ、Ｘａの中央部位
に２列に打ち込まれたアンカー１、1a…を補強枠２、2aの両側部に固定すると共に、既設
コンクリート壁Ｗ側の縦横鉄筋４、4a…、５、5a…を補強枠２、2a、３、3aの一側部に、
隣の既設コンクリート壁Ｗａ側の縦横鉄筋４、4a…、５、5a…を補強枠２、2a、３、3aの
他側部に夫々固定する様にして、補強枠２、2a、３、3aを共用することも可能である。
【００１１】
次に、図１〜４に示した既設コンクリート壁の増し打壁工法について説明する。
（１）既設コンクリート壁Ｗの両側部の柱Ｙ、Ｙａ及び上下部の梁Ｘ、Ｘａの夫々にアン
カー１、1a…を打ち込む。
（２）柱Ｙ、Ｙａ及び梁Ｘ、Ｘａに平行に配置した補強枠２、2a、３、3aをアンカー１、
1a…で固定する。具体的には、アンカー１、1a…をボルトとし、補強枠２、2a、３、3a側
にアンカー１、1a…の挿通孔を形成し、該挿通孔に挿通させたアンカー１、1a…の突端部
にナットを螺嵌する様にしたり、単にアンカー１、1a…に補強枠２、2a、３、3aを溶接し
ている。
（３）対向する柱Ｙ、Ｙａ及び梁Ｘ、Ｘａに縦横鉄筋４、4a…、５、5a…の両端部を溶接
して固定し、該縦横鉄筋４、4a…、５、5a…を既設コンクリート壁Ｗに打ち込んだ連結ア
ンカー６、6a…に固定する。
（４）補強枠２、2a、３、3aと既設コンクリート壁Ｗ、柱Ｙ、Ｙａ及び梁Ｘ、Ｘａ間の隙
間にモルタル７を注入すると共に、補強枠２、2a、３、3aの内側部分にモルタル７を所定
厚さに吹き付けたり、塗り込んだり、或いは補強枠２、2a、３、3a及び縦横鉄筋４、4a…
、５、5a…の外側に型枠（図示せず）を組んで、該型枠と既設コンクリート壁Ｗ間にモル
タル７を打ち込んで、補強枠２、2a、３、3a及び縦横鉄筋４、4a…、５、5a…を埋設し、
モルタル７の養生、硬化により増し打壁８が完成、構築される。
【００１２】
尚、上記（３）工程において、縦横鉄筋４、4a…、５、5a…を連結アンカー６、6a…に
固定しなくても良く、又縦横鉄筋４、4a…、５、5a…の交差部を結束又は溶接により固定
するのが好ましい。
【００１３】
尚、補強枠２、2a、３、3aの全てを増し打壁８に埋設する必要はなく、例えば図１、２
に示す様に、補強枠２、2a、３、3aの一部が増し打壁８より突出していても良い。
【００１４】
図５に示す様に、補強枠２、2a、３、3aにおける既設コンクリート壁Ｗと柱Ｙ、Ｙａ及
び梁Ｘ、Ｘａ側の側面の長手方向に複数個の突部９、9a…を連設して、当該側面を凹凸形
状にしても良く、該突部９、9a…により、補強枠２、2a、３、3aと注入したモルタル７と
の馴染みが良くなるため、より一層の一体化が図られる。
【００１５】
既設コンクリート壁Ｗが袖壁の場合には外周部全てに補強枠２、2a、３、3aを配置せず
に、図６に示す様に、既設コンクリート壁Ｗの一側部に位置する１本の柱Ｙに対し補強枠
２を、図２、４の縦断面図と同様に、既設コンクリート壁Ｗの上下部に位置する一対の梁
Ｘ、Ｘａに対し補強枠３、3aを夫々固定する様にしており、この場合、横鉄筋４、4a…の
他端部が固定されないため、縦横鉄筋４、4a…、５、5a…を連結アンカー６、6a…に固定
したり、縦横鉄筋４、4a…、５、5a…の交差部を結束又は溶接することが不可欠になる。
【００１６】
又、図６に示した既設コンクリート壁の増し打壁工法は、段落番号〔００１１〕で説明
した工法と略同じであるが、（１）工程においては、既設コンクリート壁Ｗの一側部及び
上下部に位置する１本の柱Ｙ及び２本の梁Ｘ、Ｘａに対し補強枠２、３、3aを固定する様
にし、（３）工程における横鉄筋４、4a…の配筋時には、その一端部だけを補強枠２に固
定する様にしている。
【図面の簡単な説明】
【００１７】
【図１】本発明に係る増し打壁構造の横断面図である。
【図２】図１の増し打壁構造の縦断面図である。
【図３】増し打壁構造の他の実施例の横断面図である。
【図４】図３の増し打壁構造の縦断面図である。
【図５】突部を設けた補強枠を有する増し打壁構造の縦断面図である。
【図６】袖壁の増し打壁構造の横断面図である。
【図７】従来の増し打壁構造の横断面図である。
【符号の説明】
【００１８】
１、1a…            アンカー
２、2a、３、3a      補強枠
４、4a…、５、5a…  縦横鉄筋
６、6a…            連結アンカー
７                  モルタル
Ｗ                  既設コンクリート壁
Ｘ、Ｘａ            梁
Ｙ、Ｙａ            柱
【図１】
2005330758.tif 000003
【図２】
2005330758.tif 000004
【図３】
2005330758.tif 000005
【図４】
2005330758.tif 000006
【図５】
2005330758.tif 000007
【図６】
2005330758.tif 000008
【図７】
2005330758.tif 000009